(57)【要約】      （修正有）【課題】高台を有する食器その他の容器であって、洗浄などにより付着した水などで高台部分の窪みに（凹部）に水溜りができ、早く乾燥させるために布巾等で拭う必要があった。食器の再使用効率や、労働力の点で問題であり、迅速に水切り及び（又は乾燥）し得る形状の容器を提供する。【解決手段】容器本体やその蓋に存在する高台の周壁部に、液溜まりを解消するための孔もしくは切り欠きを複数箇所存在させる。【選択図】図１
2004275696.tif 000002
【特許請求の範囲】
【請求項１】
高台付き容器であって、該高台は、その周壁部に複数箇所、孔又は切り欠きを有することを特徴とする容器。
【発明の詳細な説明】
【発明の属する技術分野】
この発明は、食器などの高台を有する容器にかかわる。特にその高台部に特徴を有するものである。
【従来の技術】
従来、茶碗、小鉢、汁椀、皿等の食器類、或いは、金魚鉢、花器等の液体用容器、または香炉その他の粉粒体を入れる容器、その他種々の容器および該容器の蓋には、所謂高台付きのものが多く用いられている。
高台とは、容器を置いたとき、安定を保つため、或いは容器に適度な高さを与えるため、容器底部に環状に設けられる突起部分であり、通常茶碗等の陶器類の場合、糸きり又は糸底といわれる部分である。
したがって、鼎の脚や、所謂、猫脚等の三本または四本脚とは全く異なるものである。
すなわち、従来の高台は、図２の（１）に示すように、環状（必ずしも円形状を意味するものではない。以下、同じ）の周壁（５）で構成されており、該周壁の内側に凹部（３）を有している。
【発明が解決しようとする課題】
従来の高台付き容器にあっては、一般に洗浄した後、篭などに伏せて水切りを行うとき、高台部分のくぼみ（凹部）に水溜りができ、水切りし難く、布巾等で拭う必要があった。
また、立てかけ式の水切り篭においても、高台部分のくぼみに少なからず水溜りを生じ、やはり乾燥に長時間を要したり、布巾で拭う必要があった。
同様に、加熱式の食器等の乾燥器を使用する場合であっても、高台のくぼみに溜まった水分の蒸散には長時間を要した。
かかる時間的ロスや手作業による労力は、家庭での家事においても煩わしいものであるし、また食堂等の営業においては、食器類の再使用効率や、労働力の点で問題であり、更なる改善の余地があった。
本発明は、上記の欠点を除くためになされたものであり、新規な構造の高台付き容器を提案するものである。
なお、本発明における高台付き容器とは、単に食器に止まらず、内部に物を入れる器であって、高台を有するもの及び高台を有する蓋を総称するものであり、該容器は、陶磁器製のみならず、ガラス製、木製、ブラスチック製、金属製等、その材質は特に制限されるものではない。
【発明を解決するための手段】
それ故、本発明は、高台付き容器であって、該高台は、その周壁部に複数箇所、孔又は切り欠きを有することを特徴とする容器である。
かくして、本発明の容器にあっては、該容器を洗浄後、篭等に伏せておいた場合であっても、高台のくぼみに水などの洗浄液が溜まることなく、短時間で水切り及び（又は）乾燥させることが可能となる。
【発明の実施の形態】
本発明にあっては、該高台の周壁部に設けられる孔又は切り欠きは複数箇所とすべきである。すなわち、一般に食器類等の洗浄後の水切り、乾燥時には、容器が一つ宛て平面に伏せて置かれることは稀であり、一般に複数個を篭や乾燥器内に任意に置くため、容器は互いに一部重なり合って、各容器の高台部は、傾斜したり、ほぼ縦になったりしている。このため、如何なる場合であっても孔又は切り欠き部が下側又は下側近傍に存在し得るよう環状に構成されている高台の周壁には、複数箇所液抜き用の孔又は切り欠きを設ける必要があり、特に環状に構成されている周壁の相対する位置に設けるのが好ましい。更には、高台のくぼみの中心から見て、互いの孔又は切り欠き部の位置関係が１２０度、またはそれ以下の角度で存在するよう、３箇所又はそれ以上を、一般に等間隔に設けることが好ましい。勿論、孔又は切り欠きの位置は、高台を構成する環状の周壁の形状によって、液抜きに最適な位置を選ぶべきである。
高台周壁に設ける孔又は切り欠き部の形状は、高台内側のくぼみに溜まる水などの液体を排出し得るものであれば、特に限定されないが、液体の表面張力等を勘案して、一般には０．５ｍｍ程度以上好ましくは１〜３ｍｍ程度の円形又はそれに順ずる断面積の多角形とするのがよい。
また、別の態様としては、孔に代えて周壁の一部を切り欠く形態も採用し得る。
これらの例を図１、図３〜５に示す。図１は、高台の周壁部に半月状の水溜まり解消用孔を６箇所有する蓋付き容器の例であり、容器（４）の蓋及び底部に高台（１）が、それぞれ存在し、その周壁（５）には、水溜まり解消用の孔（２）が各６箇所設けられている。
同様に、図３にあっては、容器低部高台（１）の周壁部（５）に長方形の孔（２）が３箇所設けられた例であり、図４は、高台（１）の周壁（５）に三角形の孔（２）を４箇所設けた例である。
また、図５は、高台（１）の周壁（５）に切り欠き（２′）を３箇所設けた場合である。図５にあっては、きり欠きの形状が、Ｖ字形であるが、勿論この形状に限られることはなく、Ｕ字形、長方形など、いかなる形状であってもよい。ただし、切り欠き部分が、あまりに大きくなり、周壁の全周長の５０％を超えると、高台としての強度の低下を来すばかりでなく最早高台とは見なし難くなる。更に、容器使用の際の置き場所は常に真平な面とは限らず、容器を置いたときの設置安定性を欠く恐れが生ずるので好ましくない。したがって、より好ましくは、切り欠き部は、全周長の３０％以下とするのがよい。
さらに、高台に設けられる孔の位置は、容器底面に近いほど好ましく、容器底面に接して開孔する態様が特に好ましい。勿論、切り欠きの場合も同様に、容器底面に至るまで周壁を切り欠く態様が好ましい。
【実施例】
以下に本発明の実施例を示す。
（イ）図１に示すとおり、木製の吸い物椀とその蓋の高台周壁部の容器底面と接する位置に、ほぼ等間隔となるように直径２ｍｍの半円形の孔６個を設けた。
（ロ）図３に示すように、プラスチック（ポリプロピレン）製のコーヒーカップの高台周壁部に高さ２ｍｍ、幅１０ｍｍの横長の孔を、ぼほ等間隔に３個設けた。
（ハ）図４に示すように、陶器製の茶碗の釜入れ前の段階で、高台周壁部に一辺３ｍｍの三角形の孔を、ほぼ等間隔に４個開けた後、焼き上げた。
（ニ）図５に示すように、ガラス製皿の高台周壁部に、グラインダーを用いて、皿の底面に達するＶ字状の切り欠き（開口幅８ミリ、深さ１０ｍｍ）を、ほぼ等間隔に３個設けた。
これら（イ）〜（二）に示す各容器は、水洗後、容器を伏せて自然乾燥を行ったところ、乾燥時に高台のくぼみに水の溜まりが認められず、容器本体と同時に高台部の乾燥も終了した。
他方、図２に示す容器（図１に示す容器の高台に孔を穿つ以前の椀）にあっては、容器本体の乾燥後も、なお高台のくぼみに水が残り、布巾による拭き取りを要した。
【発明の効果】
本発明は、高台付き容器であって、該高台は、その周壁部に複数箇所孔又は切り欠きを有することにより、該容器の洗浄後等の水切り及び（又は）乾燥工程において、容器を伏せ置くなど、通常の水きり乾燥手段で、水きりが迅速に行われる。特に熱風乾燥式食器乾燥器内での容器の立てかけ、伏せ置き等の場合であっても、乾燥時間を従来の半分以下に短縮することができる。このため、家庭用は勿論、食堂などの営業用の食器その他の容器として極めて有利に使用することができる。
更に副次的効果として、特に高台周壁部に孔を設ける態様にあっては、高台の孔を用いて、吊り下げや連結により、乾燥器への格納量をアップすることができ、容器の水きり乾燥の作業効率を向上させることもできるという利点がある。
【図面の簡単な説明】
【図１】は、本発明の高台付き容器の一例を示す概略図。
【図２】は、従来用いられていた高台付き容器の一例を示す図。
【図３】は、本発明の高台付き容器の一例を示す概略図。
【図４】は、本発明の別の態様を示す概略図。
【図５】は、本発明の更に別の態様を示す概略図。
【符号の説明】
（１）は、高台部分
（２）は、高台の周壁に設けられた孔
（２‘）は、高台の周壁に設けられた「切り欠き」
（３）は、高台内側の凹部
（４）は、容器
（５）は、高台の周壁
【図１】
2004275696.tif 000003
【図２】
2004275696.tif 000004
【図３】
2004275696.tif 000005
【図４】
2004275696.tif 000006
【図５】
2004275696.tif 000007